(57)【要約】【課題】  建物の少なくとも一部で２個の柱省略建物ユニットを離し置きして広い柱省略空間を形成するユニット建物において、離し置きされた２個の柱省略建物ユニットの相対する天井梁同士を構造的に強固に連結すること。【解決手段】  ユニット建物１において、２個の柱省略建物ユニット１０Ａ、１０Ｂの柱省略コーナー部を含む面同士を一定間隔だけ離し置きし、離し置きされた２個の柱省略建物ユニット１０Ａ、１０Ｂの相対する天井梁１３同士の間に継ぎ天井構造体２０を設置し、離し置きされた２個の柱省略建物ユニット１０Ａ、１０Ｂの継ぎ天井構造体２０を介して一直線上に位置する２個の天井梁１３に単一の補強梁４１を添設してなるもの。【選択図】  図１
2007327237.tif 000002
【特許請求の範囲】
【請求項１】
柱と床梁と天井梁を箱形に接合し、少なくとも１個の柱省略コーナー部を有する柱省略建物ユニットを用いてなるユニット建物において、
２個の柱省略建物ユニットの柱省略コーナー部を含む面同士を一定間隔だけ離し置きし、
離し置きされた２個の柱省略建物ユニットの相対する天井梁同士の間に継ぎ天井構造体を設置し、
離し置きされた２個の柱省略建物ユニットの継ぎ天井構造体を介して一直線上に位置する２個の天井梁に単一の補強梁を添設してなることを特徴とするユニット建物。
【請求項２】
前記離し置きされた２個の柱省略建物ユニットと、それらの相対する天井梁同士の間に設置される継ぎ天井構造体が１つの柱省略離し置き構造部の組を構成するものとするとき、
複数組の柱省略離し置き構造部を互いに隣接して平行設置してなる請求項１に記載のユニット建物。
【請求項３】
前記継ぎ天井構造体が天井枠を有し、この天井枠に仮置金物を備え、仮置金物を離し置きされた２個の柱省略建物ユニットの相対する天井梁のそれぞれに係止可能にしてなる請求項１又は２に記載のユニット建物。
【請求項４】
前記継ぎ天井構造体が内装材の少なくとも一部を予め備えてなる請求項１〜３のいずれかに記載の建物ユニット。
【発明の詳細な説明】
【技術分野】
【０００１】
本発明は建物ユニットに関する。
【背景技術】
【０００２】
従来と同じ大きさ及び個数の建物ユニットを用いてより広い柱省略空間を形成できるユニット建物として、特許文献１に記載の如く、建物の少なくとも一部において、２個の柱省略建物ユニットの柱省略コーナー部を含む面同士を一定間隔だけ離し置きし、離し置きされた２個の柱省略建物ユニットの離し置きスペースを介して一直線上に位置する２個の天井梁に単一の補強梁を添設してなるものがある。２個の柱省略ユニットの間の離し置きスペースの側部の隙間は閉塞用壁パネルで塞がれ、離し置きスペースの上部の隙間は閉塞用天井パネルで塞がれる。
【特許文献１】特開2005-240358
【発明の開示】
【発明が解決しようとする課題】
【０００３】
特許文献１のユニット建物では、離し置きされた２個の柱省略建物ユニットの上部の隙間に設けられる天井パネルは単にその隙間を塞ぐだけのものであり、２個の柱省略建物ユニットの相対する天井梁同士を構造的に強固に連結するものでない。
【０００４】
従って、特許文献１のユニット建物では、建物の少なくとも一部で、２個の柱省略建物のユニットを用い、更にそれらを離し置きしたことに起因する構造強度の低下分を、実質的には、補強梁の付加により補強するだけになる。このため、補強梁の断面が非常に大きくなり、コスト高になるし、補強梁の背の高さが大きくなって、補強梁が設けられる上階床下、屋根下の納まりも悪くなる。
【０００５】
本発明の課題は、建物の少なくとも一部で２個の柱省略建物ユニットを離し置きして広い柱省略空間を形成するユニット建物において、離し置きされた２個の柱省略建物ユニットの相対する天井梁同士を構造的に強固に連結することにある。
【課題を解決するための手段】
【０００６】
請求項１の発明は、柱と床梁と天井梁を箱形に接合し、少なくとも１個の柱省略コーナー部を有する柱省略建物ユニットを用いてなるユニット建物において、２個の柱省略建物ユニットの柱省略コーナー部を含む面同士を一定間隔だけ離し置きし、離し置きされた２個の柱省略建物ユニットの相対する天井梁同士の間に継ぎ天井構造体を設置し、離し置きされた２個の柱省略建物ユニットの継ぎ天井構造体を介して一直線上に位置する２個の天井梁に単一の補強梁を添設してなるようにしたものである。
【０００７】
請求項２の発明は、請求項１の発明において更に、前記離し置きされた２個の柱省略建物ユニットと、それらの相対する天井梁同士の間に設置される継ぎ天井構造体が１つの柱省略離し置き構造部の組を構成するものとするとき、複数組の柱省略離し置き構造部を互いに隣接して平行設置してなるようにしたものである。
【０００８】
請求項３の発明は、請求項１又は２の発明において更に、前記継ぎ天井構造体が天井枠を有し、この天井枠に仮置金物を備え、仮置金物を離し置きされた２個の柱省略建物ユニットの相対する天井梁のそれぞれに係止可能にしてなるようにしたものである。
【０００９】
請求項４の発明は、請求項１〜３のいずれかの発明において更に、前記継ぎ天井構造体が内装材の少なくとも一部を予め備えてなるようにしたものである。
【発明の効果】
【００１０】
（請求項１）
(a)ユニット建物の少なくとも一部において、２個の柱省略建物ユニットを離し置きして広い柱省略空間を形成するに際し、２個の柱省略建物ユニットを用い、更にそれらを離し置きしたことに起因する構造強度の低下分を、補強梁の付加と、継ぎ天井構造体の設置により補強できる。
【００１１】
継ぎ天井構造体は、離し置きされた２個の柱省略建物ユニットの相対する天井梁のそれぞれに、該継ぎ天井構造体を構成する天井枠を接合する等により、それら相対する天井梁同士を構造的に強固に連結する。このことは、補強梁が分担すべき補強強度を低減でき、補強梁の断面を小断面にできることを意味する。
【００１２】
(請求項２)
(b)ユニット建物の内部に複数組の柱省略離し置き構造部を互いに隣接して平行設置することにより、ユニット建物の構造強度を上述(a)の如くにして十分に補強しながら、より広い柱省略空間を形成できる。
【００１３】
(請求項３)
(c)継ぎ天井構造体が天井枠を有し、この天井枠に仮置金物を備え、仮置金物を離し置きされた２個の柱省略建物ユニットの相対する天井梁のそれぞれに係止可能にした。従って、継ぎ天井構造体を離し置きされた２個の柱省略建物ユニットの相対する天井梁の間に吊りおろしたときに仮置金物を用いてそれらの天井梁に仮置きし、その後、継ぎ天井構造体の天井枠をそれらの天井梁に接合することにより、継ぎ天井構造体の設置作業性を向上できる。
【００１４】
仮置金物は離し置きされた２個の柱省略建物ユニットの相対する天井梁のそれぞれに係止する位置に設けられるものであり、この位置は継ぎ天井構造体の天井枠の四辺のうち補強梁が添設する辺に直交する辺に定められるものになるから、仮置金物と補強梁の干渉を生ずることもない。
【００１５】
（請求項４）
(d)継ぎ天井構造体が内装材の少なくとも一部を予め備えることにより、ユニット建物の工場生産化率を向上できる。
【発明を実施するための最良の形態】
【００１６】
図１はユニット建物を構成する建物ユニットの配置を示す模式図、図２はユニット建物の斜視図、図３は図２の要部拡大図、図４は継ぎ天井構造体を示し、（Ａ）は平面図、（Ｂ）は側面図、図５は継ぎ天井構造体の天井枠と仮置金物を示す斜視図、図６は補強梁の接合部を示し、（Ａ）は平面図、（Ｂ）は側面図、図７は柱省略建物ユニットを示し、（Ａ）は柱２本省略した場合の斜視図、（Ｂ）は柱１本省略した場合の斜視図である。
【実施例】
【００１７】
図１のユニット建物１は、工場生産した複数の柱省略建物ユニットを建築現場に輸送し、予め設置した基礎の上に隣接設置し、以下の述べる如く、建物の外周にだけ柱を設け、建物の内部では柱省略した広い連続空間を形成するものである。
【００１８】
ユニット建物１で用いる柱省略建物ユニットは、柱２本省略した柱省略建物ユニット１０Ａ、柱２本省略した短尺の柱省略建物ユニット１０Ｂ、柱１本省略した柱建物ユニット１０Ｃである（柱省略建物ユニット１０Ｃは柱省略コーナー部の勝手違いにより２形態になる）。
【００１９】
柱省略建物ユニット１０Ａは、図７（Ａ）に示す如く、２本角鋼管製柱１１と、４本の形鋼製床梁１２と４本の形鋼製天井梁１３とを箱形に接合した骨組構造体であり、妻側で相隣る２本の柱１１を省略したものである。柱省略建物ユニット１０Ａは、柱省略コーナー部以外の２個のコーナー部では、相交差する床梁１２をジョイントピース１２Ａにより柱１１の下端部に接合し、相交差する天井梁１３をジョイントピース１３Ａにより柱１１の上端部に接合するとともに、柱省略コーナー部では、相交差する床梁１２をジョイントピース１２Ｂにより、短柱１４に接合し、相交差する天井梁１３をジョイントピース１３Ｂにより短柱１５に接合して構成される。そして、柱省略建物ユニット１０Ａでは、柱省略コーナー部で、上述の短柱１４と短柱１５に仮柱１６を着脱自在にしている。
【００２０】
柱省略建物ユニット１０Ｂは、柱省略建物ユニット１０Ａにおける桁側の床梁１２、天井梁１３を短尺にしたものである。
【００２１】
柱省略建物ユニット１０Ｃは、図７（Ｂ）に示す如く、１本の柱１１だけを省略し、その１個の柱省略コーナー部に仮柱１６を着脱自在にしたものである。
【００２２】
ユニット建物１は、図１の左右方向の中央部で、２個の柱省略建物ユニット１０Ａ、１０Ｂの柱省略コーナー部を含む妻面同士を一定間隔だけ離し置きし、離し置きされた２個の柱省略建物ユニット１０Ａ、１０Ｂの相対する天井梁１３同士の間に継ぎ天井構造体２０を設置している。このとき、離し置きされた２個の柱省略建物ユニット１０Ａ、１０Ｂと、それらの相対する天井梁１３同士の間に設置される継ぎ天井構造体２０が１つの柱省略離し置き構造部Ａの組を構成するものとする。そして、ユニット建物１の左右方向の中央部では、図１に示す如くに、３組の柱省略離し置き構造部Ａを互いに隣接して平行設置している。
【００２３】
また、ユニット建物１は、３組の柱省略離し置き構造部Ａの左側で、２組の柱省略建物ユニット１０Ａ、１０Ａの柱省略コーナー部を含む妻面同士を突き合せ配置している。このとき、１つの柱省略構造部Ｂの組を構成するものとする。そして、ユニット建物１の３組の柱省略離し置き構造部Ａの左側では、図１に示す如くに、２組の柱省略構造部Ｂを互いに隣接して平行設置している。
【００２４】
また、ユニット建物１は、２組の柱省略構造部Ｂの左側で、２個の柱省略建物ユニット１０Ｃ、１０Ｃの柱省略コーナー部を含む妻面同士を突き合わせ配置することにより、図１に示す如くに、１組の柱省略構造部Ｃを設置している。
【００２５】
また、ユニット建物１は、３組の柱省略離し置き構造部Ａの右側で、２個の柱省略建物ユニット１０Ｃ、１０Ｃの柱省略コーナー部を含む妻面同士を突き合わせ配置することにより、図１に示す如くに、１組の柱省略構造部Ｄを設置している。
【００２６】
ユニット建物１は、以上の柱省略離し置き構造部Ａ、柱省略構造部Ｂ〜Ｄにより、図１に示す如く、建物の外周にだけ柱１１を設け、建物の内部では柱省略した広い連続空間を形成可能にした。
【００２７】
以下、ユニット建物１の補強構造について説明する。
(1)３組の柱省略離し置き構造部Ａにおいて、図１〜図３に示す如く、離し置きされた２個の柱省略建物ユニット１０Ａ、１０Ｂの相対する妻側の天井梁１３同士の間に継ぎ天井構造体２０を設置する。
【００２８】
継ぎ天井構造体２０は、図３、図４に示す如く、４本の角鋼管製短柱２１と、４本の形鋼製天井梁２２を四辺形に接合した天井枠２０Ａを有する。天井枠２０Ａは、相交差する天井梁２２をジョイントピース２２Ａにより短柱２１に接合して構成される。
【００２９】
継ぎ天井構造体２０は、図４に示す如く、工場生産段階で、天井枠２０Ａの相対する天井梁２２に天井根太２３を架け渡し、天井根太２３の下面に天井面材２４（内装材）を設けて構成される。
【００３０】
継ぎ天井構造体２０は、図５に示す如く、天井枠２０Ａの相対する天井梁２２の外側面にＬ形状の仮置金物２５をボルト２６、ナット２６Ａにより締結されて備え、仮置金物２５を離し置きされた２個の柱省略建物ユニット１０Ａ、１０Ｂの相対する天井梁１３の上面に載せ置く如くにして係止可能にする。
【００３１】
従って、各柱省略離し置き構造部Ａにあっては、クレーン等で吊りおろされる継ぎ天井構造体２０が離し置きされた２個の柱省略建物ユニット１０Ａ、１０Ｂの相対する妻側の天井梁１３同士の間に挿入され、継ぎ天井構造体２０が備える仮置金物２５がそれら柱省略建物ユニット１０Ａ、１０Ｂの相対する天井梁１３の上面に係止される。その後、継ぎ天井構造体２０において仮置金物２５が設けられている天井梁２２のウエブと、これに相接する柱省略建物ユニット１０Ａ、１０Ｂの天井梁１３のウエブとが、不図示のスペーサを挟む状態で、不図示のボルト、ナットによりボルト接続される。
【００３２】
(2)３組の柱省略離し置き構造部Ａ内で、相隣る柱省略離し置き構造部Ａの桁側の天井境界部に、図１に示す如くに、補強梁４１を設ける。即ち、各柱省略離し置き構造部Ａにおいて、離し置きされた２個の柱省略建物ユニット１０Ａ、１０Ｂの継ぎ天井構造体２０を介して一直線上に位置する２個の桁側の天井梁１３、１３に、単一の補強梁４１を添設する。補強梁４１は、相隣る柱省略離し置き構造部Ａの間、換言すれば、相隣る柱省略建物ユニット１０Ａの天井梁１３同士の間、相隣る柱省略建物ユニット１０Ｂの天井梁１３同士の間、相隣る継ぎ天井構造体２０の天井梁２２同士の間に挿入され、それらの各天井梁１３（ジョイントピース１３Ａ、１３Ｂ）、各天井梁２２（ジョイントピース２２Ａ）を介してそれらの各柱１１、各短柱１５、各短柱２１にボルト接続される。
【００３３】
補強梁４１は、例えば図６に示す如く、相隣る柱省略建物ユニット１３Ａのジョイントピース１３Ａの間に挿入され、ボルト４１Ａ、ナット４１Ｂを用いたジョイントピース１３Ａ、天井梁１３との接合を介して柱１１に接続される。
【００３４】
(3)柱省略離し置き構造部Ａと柱省略構造部Ｂの桁側の天井境界部に、図１に示す如く、補強梁５１を設ける。補強梁５１は、相隣る柱省略離し置き構造部Ａと柱省略構造部Ｂの間、換言すれば相隣る柱省略建物ユニット１０Ａの天井梁１３Ａ同士の間、相隣る柱省略建物ユニット１０Ａの天井梁１３と継ぎ天井構造体２０の天井梁２２の間、相隣る柱省略建物ユニット１０Ａの天井梁１３と柱省略建物ユニット１０Ｂの天井梁１３の間に挿入され、それらの各天井梁１３（ジョイントピース１３Ａ、１３Ｂ）、各天井梁２２（ジョイントピース２２Ａ）を介してそれらの各柱１１、各短柱１５、各短柱２１にボルト接続される。
【００３５】
(4)２組の柱省略構造部Ｂ内で、相隣る柱省略構造部Ｂの桁側の天井境界部に、図１に示す如く、補強梁６１を設ける。補強梁６１は、相隣る柱省略構造部Ｂの間、換言すれば相隣る柱省略建物ユニット１０Ａの天井梁１３同士の間、同じく柱省略建物ユニット１０Ａの天井梁１３同士の間に挿入され、それらの各天井梁１３（ジョイントピース１３Ａ、１３Ｂ）を介してそれらの各柱１１、各短柱１５にボルト接続される。
【００３６】
(5)柱省略構造部Ｂと柱省略構造部Ｃの桁側の天井境界部に、図１に示す如く、補強梁７１を設ける。補強梁７１は、相隣る柱省略構造部Ｂと柱省略構造部Ｃの間、換言すれば相隣る柱省略建物ユニット１０Ａの天井梁１３と柱省略建物ユニット１０Ｃの天井梁１３の間に挿入され、それらの各天井梁１３（ジョイントピース１３Ａ、１３Ｂ）を介してそれらの各柱１１、各短柱１５にボルト接続される。
【００３７】
(6)柱省略離し置き構造部Ａと柱省略構造部Ｄの桁側の天井境界部に、図１に示す如く、補強梁８１を設ける。補強梁８１は、相隣る柱省略離し置き構造部Ａと柱省略構造部Ｄの間、換言すれば相隣る柱省略建物ユニット１０Ａの天井梁１３と柱省略建物ユニット１０Ｃの天井梁１３の間に挿入され、それらの各天井梁１３（ジョイントピース１３Ａ、１３Ｂ）を介してそれらの各柱１１、各短柱１５にボルト接続される。
【００３８】
本実施例によれば以下の作用効果を奏する。
(a)ユニット建物１の一部において、２個の柱省略建物ユニット１０Ａ、１０Ｂを離し置きして広い柱省略空間を形成するに際し、２個の柱省略建物ユニット１０Ａ、１０Ｂを用い、更にそれらを離し置きしたことに起因する構造強度の低下分を、補強梁４１の付加と、継ぎ天井構造体２０の設置により補強できる。
【００３９】
継ぎ天井構造体２０は、離し置きされた２個の柱省略建物ユニット１０Ａ、１０Ｂの相対する天井梁１３のそれぞれに、該継ぎ天井構造体２０を構成する天井枠２０Ａを接合する等により、それら相対する天井梁１３同士を構造的に強固に連結する。このことは、補強梁４１が分担すべき補強強度を低減でき、補強梁４１の断面を小断面にできることを意味する。
【００４０】
(b)ユニット建物１の内部に複数組の柱省略離し置き構造部Ａを互いに隣接して平行設置することにより、ユニット建物１の構造強度を上述(a)の如くにして十分に補強しながら、より広い柱省略空間を形成できる。
【００４１】
(c)継ぎ天井構造体２０が天井枠２０Ａを有し、この天井枠２０Ａに仮置金物２５を備え、仮置金物２５を離し置きされた２個の柱省略建物ユニット１０Ａ、１０Ｂの相対する天井梁１３のそれぞれに係止可能にした。従って、継ぎ天井構造体２０を離し置きされた２個の柱省略建物ユニット１０Ａ、１０Ｂの相対する天井梁１３の間に吊りおろしたときに仮置金物２５を用いてそれらの天井梁１３に仮置きし、その後、継ぎ天井構造体２０の天井枠２０Ａをそれらの天井梁１３に接合することにより、継ぎ天井構造体２０の設置作業性を向上できる。
【００４２】
仮置金物２５は離し置きされた２個の柱省略建物ユニット１０Ａ、１０Ｂの相対する天井梁１３のそれぞれに係止する位置に設けられるものであり、この位置は継ぎ天井構造体２０の天井枠２０Ａの四辺のうち補強梁４１が添設する辺に直交する辺に定められるものになるから、仮置金物２５と補強梁４１の干渉を生ずることもない。
【００４３】
(d)継ぎ天井構造体２０が内装材の少なくとも一部を、例えば天井面材２４を予め備えることにより、ユニット建物１の工場生産化率を向上できる。
【００４４】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００４５】
【図１】図１はユニット建物を構成する建物ユニットの配置を示す模式図である。
【図２】図２はユニット建物の斜視図である。
【図３】図３は図２の要部拡大図である。
【図４】図４は継ぎ天井構造体を示し、（Ａ）は平面図、（Ｂ）は側面図である。
【図５】図５は継ぎ天井構造体の天井枠と仮置金物を示す斜視図である。
【図６】図６は補強梁の接合部を示し、（Ａ）は平面図、（Ｂ）は側面図である。
【図７】図７は柱省略建物ユニットを示し、（Ａ）は柱２本省略した場合の斜視図、（Ｂ）は柱１本省略した場合の斜視図である。
【符号の説明】
【００４６】
１  ユニット建物
１０Ａ、１０Ｂ  柱省略建物ユニット
１１  柱
１２  床梁
１３  天井梁
２０  継ぎ天井構造体
２０Ａ  天井枠
２４  天井面材（内装材）
２５  仮置金物
４１  補強梁
Ａ  柱省略離し置き構造部
【図１】
2007327237.tif 000003
【図２】
2007327237.tif 000004
【図３】
2007327237.tif 000005
【図４】
2007327237.tif 000006
【図５】
2007327237.tif 000007
【図６】
2007327237.tif 000008
【図７】
2007327237.tif 000009